(57)【特許請求の範囲】
【請求項１】
四角形上面の前辺近傍に所定の間隔をあけて二つの自力復帰型の押圧操作型部品部が配されると共に、固定接点が設けられた基台部と、前記基台部に設けられた支持部で回転可能に保持され、その一端側に前記基台部の固定接点と係合して回転操作型部品部を構成する可動接点部を有する支持体と、中央部が外周面を操作される円柱状のつまみ部となり、前記支持体の軸状に形成された他端側がつまみ部の中間位置まで挿通されて支持体と共廻り可能に結合された円柱状操作つまみと、対向する二辺間に前記円柱状操作つまみが回転可能に配されると共に、前方下面に設けられた押圧部が前記各押圧操作型部品部に当接するようにして前記基台部の後辺近傍に設けられた位置決め保持部で位置決めされ、かつ前記基台部に設けられた上方位置規制手段によって上方への移動規制がなされるように前記基台部上に載せられ、前記基台部に対して所定の範囲内で傾動可能で、かつ前記押圧操作型部品部が配された辺と対向する前記円柱状操作つまみの回転中心軸と平行な後辺を支持軸として回動可能に配された四角形の枠体からなり、前記円柱状操作つまみのつまみ部を回転操作することにより、前記回転操作型部品部である前記可動接点部と前記固定接点とが共同して所定の電気信号が生成でき、一方、前記つまみ部外周上面の両端部近傍のいずれかを下方に押圧操作することにより、前記枠体が前記基台部に対して傾動して前方下面の前記押圧部で前記各押圧操作型部品部を個別に操作でき、また前記つまみ部の外周上面の中央部を下方に押圧操作することにより、前記枠体が前記支持軸を中心として回動して前方下面の前記押圧部で前記二つの押圧操作型部品部を同時に操作できる押圧・回転操作型電子部品。
【請求項２】
支持体の軸状に形成された他端側が、弾性を有する請求項１記載の押圧・回転操作型電子部品。
【請求項３】
基台部に、回転操作型部品部の固定接点および各押圧操作型部品部の接点部分の各々に導通した圧接用弾性端子がそれぞれ配設された請求項１または２記載の押圧・回転操作型電子部品。
【請求項４】
枠体の支持軸となる後辺下面部分を、前記枠体もしくは基台部に設けた支持突起で支えるようにした請求項１〜３のいずれか一つに記載の押圧・回転操作型電子部品。
【請求項５】
支持突起が、二つの押圧操作型部品部の中点位置に対して、等距離の位置に設けられた請求項４記載の押圧・回転操作型電子部品。
【請求項６】
基台部の位置決め保持部が、上方に突出形成された位置決め突部で構成され、前記位置決め突部に枠体の後辺に設けた規制孔が挿通されて前記枠体の前後左右の位置決めが図られると共に、基台部の上方位置規制手段が、基台部前方位置に設けられた上方に突出した弾性爪で構成され、前記弾性爪が前記枠体の前端上面に係止された請求項１〜５のいずれか一つに記載の押圧・回転操作型電子部品。
【請求項７】
基台部の後方位置に、枠体を上方に押し上げる弾性部を設けた請求項１〜６のいずれか一つに記載の押圧・回転操作型電子部品。
【請求項８】
円柱状操作つまみの回転動作時に節度感を発生する節度機構を備えた請求項１〜７のいずれか一つに記載の押圧・回転操作型電子部品。
【請求項９】
支持体の一端側が、支持された部分と同軸の円柱状部に形成され、その外周面に可動接点部が構成された請求項１〜８のいずれか一つに記載の押圧・回転操作型電子部品。
【請求項１０】
可動接点部が、支持体の円柱状部の外周面に設けられたリング状接点部およびこれと導通した導通部と絶縁部が所定の角度ピッチで交互に配された櫛歯部で形成され、また基台部の固定接点が、そのリング状接点部および櫛歯部にそれぞれ弾接する弾性接点脚で形成された請求項９記載の押圧・回転操作型電子部品。
【請求項１１】
枠体が、導電性材料により形成され、この枠体に対する静電気対策手段が基台部に設けられた請求項１〜１０のいずれか一つに記載の押圧・回転操作型電子部品。
【請求項１２】
押圧操作型部品部が、弾性金属薄板製のドーム状可動接点が中央固定接点の上方に所定の距離を持って対峙するように、外周下端が外側固定接点上に配されると共に、ドーム状可動接点の上面に貼り付けられた絶縁フィルムで位置決めされたプッシュオンスイッチである請求項１〜１１のいずれか一つに記載の押圧・回転操作型電子部品。
【請求項１３】
請求項１〜１２に記載の押圧・回転操作型電子部品が搭載された電子機器であって、ケースから突出した押圧・回転操作型電子部品の円柱状操作つまみを回転操作することによって得られる回転操作型部品部からの信号で表示部に表示された項目を第一方向に移動させ、前記円柱状操作つまみの両端部のいずれかを押圧操作することによって得られるいずれかの押圧操作型部品部からの信号で前記表示部に表示された項目を前記第一方向とは異なる方向に移動させて、希望する項目を選択するようにした電子機器。
【請求項１４】
請求項１〜１２に記載の押圧・回転操作型電子部品が搭載された電子機器であって、ケースから突出した押圧・回転操作型電子部品の円柱状操作つまみのつまみ部を押圧操作することによって得られる二つの押圧操作型部品部からの信号で、表示部に表示された項目を決定または実行する電子機器。
【発明の詳細な説明】
【０００１】
【発明の属する技術分野】
本発明は、主として携帯電話等の電子機器に使用され、機器の操作面から露出した円柱状の操作つまみを接線方向に回転操作でき、また、その操作つまみの中央部または端部を回転中心に向けて押圧操作して所定の電気信号が生成できる押圧・回転操作型電子部品およびそれを用いた電子機器に関するものである。
【０００２】
【従来の技術】
従来のこの種の押圧・回転操作型電子部品としては、プッシュオンスイッチ付回転型エンコーダが知られており、そのプッシュオンスイッチ付回転型エンコーダを例として以下に図面を用いて説明する。
【０００３】
図１８は、従来の押圧・回転操作型電子部品であるプッシュオンスイッチ付回転型エンコーダの外観斜視図、図１９は同側面断面図である。
【０００４】
同図に示すように、従来のプッシュオンスイッチ付回転型エンコーダ１は、接点付取付基板２に、回転操作型部品部としての回転型エンコーダ部３と押圧操作型部品部としてのプッシュオンスイッチ部４が所定の位置に配設され、回転型エンコーダ部３は一定の範囲で上下方向（図１８および図１９に示す矢印Ｖ方向）に移動できるように、またプッシュオンスイッチ部４は動かないように固定されている。
【０００５】
この回転型エンコーダ部３は、接点付取付基板２に対して一定の範囲で上下方向に動きうるように保持されたスライド接点体５と、その中央に固定された軸部６により回転可能に保持された回転体７と、この回転体７を回転操作できるように軸部６を介して取付けられた円形操作つまみ８とにより構成され、スライド接点体５の下端から突出した板ばね９が接点付取付基板２前面のピン状突起１０に弾接することにより、通常状態において回転型エンコーダ部３はプッシュオンスイッチ部４から離れた位置にあるように付勢されている。
【０００６】
また、プッシュオンスイッチ部４は図１９に示すように、その操作釦１１が回転型エンコーダ部３の軸部６後方の押圧部６Ａに当接するように、接点付取付基板２の回転型エンコーダ部３が配設された面とは反対側の部分に固定されている。
【０００７】
このように構成された従来のプッシュオンスイッチ付回転型エンコーダ１の動作は、まず円形操作つまみ８の外周上面８Ａに接線方向（図１８に示す矢印Ｈ方向）の力を加えて円形操作つまみ８を回転させることにより、回転体７が軸部６を中心として回転して回転型エンコーダ部３からの電気信号を導出できるものであった。
【０００８】
また、回転型エンコーダ部３を押し上げている板ばね９の付勢力に逆らって、円形操作つまみ８の外周上面８Ａにその中心に向かう下方向（図１８およびず１９に示す矢印Ｖ方向）の押し力を加えて回転型エンコーダ部３全体を下方に動かすことにより、軸部６の押圧部６Ａで操作釦１１を押してプッシュオンスイッチ部４を作動させることができ、その円形操作つまみ８に加えていた押し力を除くと、板ばね９の弾性復元力によって回転型エンコーダ部３が押し戻されて元の状態に復帰するものであった。
【０００９】
そして、このプッシュオンスイッチ付回転型エンコーダ１が使用機器である携帯電話１２に使用される場合には、図２０の携帯電話の外観斜視図に示すように、別の電子部品である二回路プッシュオンスイッチ１３と組み合わせて使用されることが多かった。
【００１０】
この二回路プッシュオンスイッチ１３は図２１の部分断面正面図に示すように、スイッチ基板１４の上に所定の間隔をあけて配置された二つの自力復帰型のプッシュオンスイッチ１５Ａ、１５Ｂがスイッチ基板１４中央の支持部１４Ａで回動可能に支持された操作釦１６の上面１６Ａまたは１６Ｂを押圧操作することにより、それぞれ個別に作動できるように構成されたものである。
【００１１】
次に、この携帯電話１２の使用方法について説明すると、その携帯電話１２の使用開始時に、操作面１２Ａに配された表示部１７に複数の機能項目メニューが所定の配列関係で表示された状態において、まず操作者は、プッシュオンスイッチ付回転型エンコーダ１の円形操作つまみ８の操作面１２Ａから突出した部分に接線方向の力を加え、円形操作つまみ８を所定方向に回転させる。
【００１２】
この円形操作つまみ８の回転に伴って、図２０には図示していない回転型エンコーダ部３からの信号が導出され、携帯電話１２の内部に配された回路部がこの信号を検出・制御して表示画面中の機能項目メニューを希望する項目のある行まで前後方向に移動させる。
【００１３】
続いて、操作者は、二回路プッシュオンスイッチ１３の操作釦１６の上面１６Ａ、１６Ｂのいずれかを押圧操作して所定のプッシュオンスイッチ１５Ａまたは１５Ｂを作動させ、表示画面中の機能項目メニューを目的とする項目のある列まで左右方向に移動させて目的の項目を選択する。
【００１４】
最後に、操作者は、再度プッシュオンスイッチ付回転型エンコーダ１の円形操作つまみ８を下方に押圧操作して、図２０には図示していないプッシュオンスイッチ付回転型エンコーダ１のプッシュオンスイッチ部４を作動させ、選択した機能項目メニューを決定するものであった。
【００１５】
【発明が解決しようとする課題】
しかしながら、前記従来の押圧・回転操作型電子部品としてのプッシュオンスイッチ付回転型エンコーダ１を二回路プッシュオンスイッチ１３と共に携帯電話１２等に搭載した場合には、操作者はプッシュオンスイッチ付回転型エンコーダ１の円形操作つまみ８と二回路プッシュオンスイッチ１３の操作釦１６の間を指を大きく移動させながら操作しなければならないので操作性に劣ると共に、それらの電子部品の広い装着面積が必要となるため、急激に小型化が進展している電子機器においては使用し難くくなってきており、電子機器メーカーからは前記両操作が可能な小型の電子部品への開発要望が高まってきていた。
【００１６】
本発明は、このような従来の課題を解決するものであり、操作つまみを円柱状のものとし、この一つの操作つまみに対して接線方向に回転操作でき、また、その操作つまみの中央部または端部を回転中心に向けて押圧操作可能な良好な操作性を有する小型の押圧・回転操作型電子部品およびそれを用いた電子機器を提供することを目的とする。
【００１７】
【課題を解決するための手段】
前記目的を達成するために本発明の押圧・回転操作型電子部品は、四角形上面の前辺近傍に所定の間隔をあけて配置された二つの自力復帰型の押圧操作型部品部を有する基台部に、前記基台部に設けられた固定接点と係合して回転操作型部品部を構成する可動接点部が一端側に設けられ、他端側が円柱状操作つまみに共廻り可能に結合された支持体を回転可能に支持させると共に、前記基台部上に、対向する二辺間に前記円柱状操作つまみを回転可能に配した枠体を、前方下面に設けられた押圧部が前記各押圧操作型部品部に当接するようにして所定の範囲内で傾動可能で、かつ前記押圧操作型部品部が配された辺と対向する前記円柱状操作つまみの回転中心軸と平行な後辺を支持軸として回動可能に配するものである。
【００１８】
これにより、一つの円柱状操作つまみの回転操作に伴って支持体を共廻りさせて回転操作型部品部を安定的に作動させることができ、かつその円柱状操作つまみの中央部または端部を押圧操作することにより、枠体が基台部に対して回動または傾動して所定の押圧操作型部品部を作動させることができるコンパクトで操作性に優れた押圧・回転操作型電子部品およびそれを用いた電子機器を提供することができる。
【００１９】
【発明の実施の形態】
本発明による請求項１に記載の発明は、四角形上面の前辺近傍に所定の間隔をあけて二つの自力復帰型の押圧操作型部品部が配されると共に、固定接点が設けられた基台部と、前記基台部に設けられた支持部で回転可能に保持され、その一端側に前記基台部の固定接点と係合して回転操作型部品部を構成する可動接点部を有する支持体と、中央部が外周面を操作される円柱状のつまみ部となり、前記支持体の軸状に形成された他端側がつまみ部の中間位置まで挿通されて支持体と共廻り可能に結合された円柱状操作つまみと、対向する二辺間に前記円柱状操作つまみが回転可能に配されると共に、前方下面に設けられた押圧部が前記各押圧操作型部品部に当接するようにして前記基台部の後辺近傍に設けられた位置決め保持部で位置決めされ、かつ前記基台部に設けられた上方位置規制手段によって上方への移動規制がなされるように前記基台部上に載せられ、前記基台部に対して所定の範囲内で傾動可能で、かつ前記押圧操作型部品部が配された辺と対向する前記円柱状操作つまみの回転中心軸と平行な後辺を支持軸として回動可能に配された四角形の枠体からなり、前記円柱状操作つまみのつまみ部を回転操作することにより、前記回転操作型部品部である前記可動接点部と前記固定接点とが共同して所定の電気信号が生成でき、一方、前記つまみ部外周上面の両端部近傍のいずれかを下方に押圧操作することにより、前記枠体が前記基台部に対して傾動して前方下面の前記押圧部で前記各押圧操作型部品部を個別に操作でき、また前記つまみ部の外周上面の中央部を下方に押圧操作することにより、前記枠体が前記支持軸を中心として回動して前方下面の前記押圧部で前記二つの押圧操作型部品部を同時に操作できる押圧・回転操作型電子部品としたものであり、円柱状操作つまみの回転操作に伴って支持体を共廻りさせて回転操作型部品部を作動させることができ、かつその円柱状操作つまみの中央部または端部を押圧操作することにより、枠体が基台部に対して回動または傾動して所定の押圧操作型部品部を作動させることができる小型で操作性に優れた押圧・回転操作型電子部品が得られると共に、回転操作型部品部を構成する可動接点部を有する支持体ならびに固定接点を共に基台部に配したものであるため、両者を容易に高精度に係合させることができ、かつ支持体の回転中心軸もブレ難くできるため、前記円柱状操作つまみの回転操作時に安定した出力が得られるものにできるという作用を有する。
【００２０】
請求項２に記載の発明は、請求項１記載の発明において、支持体の軸状に形成された他端側が、弾性を有するものであり、請求項１記載の発明による作用に加えて、円柱状操作つまみを所定方向に回動または傾動させる押圧操作をした際に発生する円柱状操作つまみの移動距離を、弾性を有する支持体の他端側によって吸収させることができるため、前記押圧操作時においても、この支持体の一端側の部分に構成される回転操作型部品部に対しての影響が少なくできるという作用を有する。
【００２１】
請求項３に記載の発明は、請求項１または２記載の発明において、基台部に、回転操作型部品部の固定接点および各押圧操作型部品部の接点部分の各々に導通した圧接用弾性端子がそれぞれ配設されたものであり、基台部からの回転操作型部品部および押圧操作型部品部の信号を、装着される配線板等に簡単な構成で確実に導出できるという作用を有する。
【００２２】
請求項４に記載の発明は、請求項１〜３のいずれか一つに記載の発明において、枠体の支持軸となる後辺下面部分を、前記枠体もしくは基台部に設けた支持突起で支えるようにしたものであり、円柱状操作つまみの押圧操作時に、基台部に対して枠体は、この支持突起を中心として確実かつ滑らかに回動または傾動動作するものにでき、押圧操作性の良好なものが容易に得られるという作用を有する。
【００２３】
請求項５に記載の発明は、請求項４記載の発明において、支持突起が、二つの押圧操作型部品部の中点位置に対して、等距離の位置に設けられたものであり、請求項４に記載の発明による作用に加えて、枠体の回動および傾動時を含めて枠体の基台部に対する安定性を向上させることができると共に、枠体の左右の傾動動作時の傾動角度が同一なものを得ることができるという作用を有する。
【００２４】
請求項６に記載の発明は、請求項１〜５のいずれか一つに記載の発明において、基台部の位置決め保持部が、上方に突出形成された位置決め突部で構成され、前記位置決め突部に枠体の後辺に設けた規制孔が挿通されて前記枠体の前後左右の位置決めが図られると共に、基台部の上方位置規制手段が、基台部前方位置に設けられた上方に突出した弾性爪で構成され、前記弾性爪が前記枠体の前端上面に係止されたものであり、簡単な構成で、枠体を基台部に対して前後左右方向の位置ずれを少なく、かつ、基台部に対する枠体の上方へのガタツキを少なく組み合わすことができ、しかも枠体の回動または傾動後の復帰位置を弾性爪で規制できるため、所定の操作を行っていない通常状態において、円柱状操作つまみが常に所定位置で維持できるものにできるという作用を有する。
【００２５】
請求項７に記載の発明は、請求項１〜６のいずれか一つに記載の発明において、基台部の後方位置に、枠体を上方に押し上げる弾性部を設けたものであり、押圧操作型部品部の自己復帰に伴う枠体の回動または傾動復帰時に、枠体の後端と基台部との接触を防止でき、それに起因する音の発生を低減できるという作用を有する。
【００２６】
請求項８に記載の発明は、請求項１〜７のいずれか一つに記載の発明において、円柱状操作つまみの回転動作時に節度感を発生する節度機構を備えたものであり、円柱状操作つまみの回転操作時の操作フィーリングが良好で、かつ、円柱状操作つまみに対する押圧操作時に、不用意に円柱状操作つまみが回転して回転操作型部品部から誤信号が発せられることを防止できるという作用を有する。
【００２７】
請求項９に記載の発明は、請求項１〜８のいずれか一つに記載の発明において、支持体の一端側が、支持された部分と同軸の円柱状部に形成され、その外周面に可動接点部が構成されたものであり、回転操作型部品部をコンパクトに構成できると共に、円柱状部を基台部に支持された部分と同軸に形成しているため、円柱状操作つまみの回転に伴う円柱状部の回転中心軸の偏心も少なくでき、回転操作型部品部の安定的な作動状態を保証することができるものが得られるという作用を有する。
【００２８】
請求項１０に記載の発明は、請求項９記載の発明において、可動接点部が、支持体の円柱状部の外周面に設けられたリング状接点部およびこれと導通した導通部と絶縁部が所定の角度ピッチで交互に配された櫛歯部で形成され、また基台部の固定接点が、そのリング状接点部および櫛歯部にそれぞれ弾接する弾性接点脚で形成されたものであり、円柱状操作つまみを所定方向に回転操作することにより、所定のパルス信号を生成できる回転型エンコーダを備えたものにできると共に、この回転型エンコーダは円柱状操作つまみの外径よりも小さい径の中で容易に構成できるため、製品外形が小型で薄形のものを容易に実現することができるという作用を有する。
【００２９】
請求項１１に記載の発明は、請求項１〜１０のいずれか一つに記載の発明において、枠体が、導電性材料により形成され、この枠体に対する静電気対策手段が基台部に設けられたものであり、円柱状操作つまみに流入する静電気は、その表皮部分を介して円柱状操作つまみに最も近接的に配置される導電部分に流れていく性質を持っているため、枠体を導電性材料で形成すると共に、この枠体に対する静電気対策手段を基台部に設けることによって、前記静電気をこの枠体および基台部の静電気対策手段を介して確実に装着された配線板のアース部分に逃がすことができ、静電気に起因する誤作動を容易に低減できるという作用を有する。
【００３０】
請求項１２に記載の発明は、請求項１〜１１のいずれか一つに記載の発明において、押圧操作型部品部が、弾性金属薄板製のドーム状可動接点が中央固定接点の上方に所定の距離を持って対峙するように、外周下端が外側固定接点上に配されると共に、ドーム状可動接点の上面に貼り付けられた絶縁フィルムで位置決めされたプッシュオンスイッチであるものであり、押圧操作型部品部が操作時に節度感触を備えた簡素な構成のものであるため、押圧操作フィーリングの優れた安価なものを容易に実現できるという作用を有する。
【００３１】
請求項１３に記載の発明は、請求項１〜１２に記載の押圧・回転操作型電子部品が搭載された電子機器であって、ケースから突出した押圧・回転操作型電子部品の円柱状操作つまみを回転操作することによって得られる回転操作型部品部からの信号で表示部に表示された項目を第一方向に移動させ、前記円柱状操作つまみの両端部のいずれかを押圧操作することによって得られるいずれかの押圧操作型部品部からの信号で前記表示部に表示された項目を前記第一方向とは異なる方向に移動させて、希望する項目を選択するようにした電子機器としたものであり、一つの円柱状操作つまみに対する所定操作で表示部に表示された項目を所定方向に移動させて迅速に希望する項目が選択できる操作性の優れた小型のものを容易に実現できるという作用を有する。
【００３２】
請求項１４に記載の発明は、請求項１〜１２に記載の押圧・回転操作型電子部品が搭載された電子機器であって、ケースから突出した前記押圧・回転操作型電子部品の円柱状操作つまみのつまみ部を押圧操作することによって得られる二つの押圧操作型部品部からの信号で、表示部に表示された項目を決定または実行する電子機器としたものであり、希望する項目に対して円柱状操作つまみのつまみ部の押圧操作で容易に決定または実行することができると共に、その際の操作力は、二つの押圧操作型部品部の押圧操作力の合計値という大きい操作力で入力できる誤操作の少ないものにできるという作用を有する。
【００３３】
（実施の形態）
本発明による押圧・回転操作型電子部品を、従来と同様にプッシュオンスイッチ付回転型エンコーダを例として以下に説明する。
【００３４】
図１は本発明の一実施の形態による押圧・回転操作型電子部品としてのプッシュオンスイッチ付回転型エンコーダの外観斜視図であり、図２は同正面図、図３は同後面図、図４は同分解斜視図、図５は同部分断面正面図、図６は同要部であるプッシュオンスイッチの構成を説明する分解斜視図である。
【００３５】
同図において、３１は、使用機器の配線板上等に配される絶縁樹脂製の基台部で、平坦な四角形状の底部３１Ａの前辺近傍には、押圧操作型部品部となる単体のプッシュオンスイッチ３２が二箇所に設けられている。
【００３６】
このプッシュオンスイッチ３２のそれぞれは、図５の部分断面正面図および図６の分解斜視図に示すように、基台部３１の底部３１Ａ上面の前辺近傍に設けられた凹部内に、所定の間隔をあけて中央固定接点３３Ａおよび外側固定接点３３Ｂが配設され、弾性金属薄板からなるドーム状可動接点３４の中央頂点部３４Ａ下面が中央固定接点３３Ａと所定の距離を持って対峙するようにその外周下端が外側固定接点３３Ｂ上に載せられていると共に、前記凹部を覆うように貼り付けられた可撓性を有する絶縁フィルム３５に、その中央頂点部３４Ａ上面が貼り付けられて位置決め保持されたものとなっている。
【００３７】
なお、押圧操作型部品部としては、前記構成のプッシュオンスイッチ３２の代わりに、一つの電子部品として完成されたスイッチ完成品を配するようにしてもよく、また、そのスイッチ完成品の他に、押圧されて出力状態が変るものを配設したものとしてもよい。
【００３８】
そして、前記プッシュオンスイッチ３２が配された基台部３１の底部３１Ａ上の側方位置には、弾性金属板製の接点付端子３６の一端に形成された三つの弾性接点脚３７が、前記底部３１Ａの面から斜め上方に突出するように、かつ互いに電気的独立状態に配されている。
【００３９】
この弾性接点脚３７は、回転操作型部品部を構成するための固定接点として設けられている。
【００４０】
また、この接点付端子３６は、図７の基台部の上面図に示すように、その中間部分が基台部３１の底部３１Ａに埋設されており、その他端は基台部３１から突出した第一端子部３８となっている。
【００４１】
一方、前述したプッシュオンスイッチ３２の中央および外側固定接点３３Ａおよび３３Ｂから延びた中間部分も、図７に示すように、基台部３１の底部３１Ａ内に埋設されており、その他端は基台部３１から突出した第二端子部３９となっている。
【００４２】
そして、この第一および第二端子部３８および３９は、図８の側面断面図に示すように、基台部３１から側方に突出して所定の距離離れた位置でＵ字状に下方に屈曲形成され、そのアーム部は基台部３１下面に設けられた逃げ溝３１Ｄ内に延出されると共に、その先端部は、それぞれ第一および第二圧接用弾性端子部３８Ａおよび３９Ａとして機能するものとなっている。
【００４３】
また、基台部３１は、底部３１Ａの側方から突出する取付部３１Ｃを有すると共に、その底部３１Ａ上のプッシュオンスイッチ３２が配された部分と三つの弾性接点脚３７が配された部分との間の位置に、壁状に構成された支持部３１Ｂを有しており、この支持部３１Ｂには、外形が棒状の支持体４０が基台部３１の底部３１Ａと平行な回転中心軸を持つように回転可能に保持されている。
【００４４】
そして、この支持体４０の支持部３１Ｂより左側位置である一端側の円柱状部４０Ａ外周に構成された可動接点部４１に、前記弾性接点脚３７が弾接しており、両者で回転操作型部品部が構成されている。
【００４５】
一方、支持体４０の他端側は、所定の弾性を有する軸部４０Ｂに形成されており、この軸部４０Ｂが、中央部が外周面を操作される円柱状のつまみ部となる円柱状操作つまみ４２に、共廻り可能につまみ部の中間位置で結合されている。
【００４６】
そして、図１に示す４３は、底面部４３Ｂの左右両側に設けられた右側部４３Ａと左側部４３Ｃとの間で、前記のごとく支持体４０に支持された円柱状操作つまみ４２を回転可能に保持した略四角形状の枠体であるが、図４の分解斜視図に示すように、この枠体４３は、その右側部４３Ａおよび底面部４３Ｂを構成する駆動部材４４と、その左側部４３Ｃを構成する蓋部材４５とが結合されて構成されたものとなっている。
【００４７】
そして、図９の駆動部材の裏面側の斜視図に示すように、この駆動部材４４の下面側の前部には、前記それぞれのプッシュオンスイッチ３２を押圧するための押圧部４６が設けられていると共に、その後部には支持突部４７が設けられている。
【００４８】
この支持突部４７は、前記押圧部４６どうしを繋ぐ直線に平行で、その押圧部４６どうしの中点位置から等距離にある二箇所の位置に設けられている。
【００４９】
そして、前記枠体４３は、駆動部材４４の前部下面に設けられた押圧部４６を基台部３１のそれぞれのプッシュオンスイッチ３２に当接させ、かつ駆動部材４４の後部下面に設けられた支持突部４７を前記基台部３１の底部３１Ａの後部上に当接させるようにして基台部３１上に載せられている（図２および図３参照）。
【００５０】
なお、この状態で円柱状操作つまみ４２の回転中心軸、つまり支持体４０の軸部４０Ｂはプッシュオンスイッチ３２どうしを繋ぐ直線と平行な位置関係になっている。
【００５１】
また、前記二箇所に設けられた支持突部４７も、前記押圧部４６どうしを繋ぐ直線に対して平行関係に設けられているため、支持突部４７どうしを繋ぐ直線、プッシュオンスイッチ３２どうしを繋ぐ直線、および円柱状操作つまみ４２の回転中心軸は、互いに平行関係になっている。
【００５２】
なお、この支持突部４７を前記の二箇所の位置に設ける代わりに、その位置を端部とする連結した一つの形状のものとしてもよいし、それを枠体４３側に設けずに基台部３１側に設けてもよい。
【００５３】
そして、図１０の後方側からの外観斜視図にも示すように、枠体４３の駆動部材４４の後部には、二つの規制孔４８が設けられており、この規制孔４８に基台部３１の底部３１Ａに形成された規制用突部４９がそれぞれ挿入されて、枠体４３は基台部３１に対して前後左右方向への移動規制がなされて位置決めされている。
【００５４】
なお、この規制孔４８と規制用突部４９との係合位置は、対角位置関係にあるプッシュオンスイッチ３２と支持突部４７を繋ぐ線上に設定されていると共に、二箇所に設けられた規制孔４８と規制用突部４９との係合位置どうしを繋ぐ線も、前記プッシュオンスイッチ３２どうしを繋ぐ直線に対して平行、つまり円柱状操作つまみ４２の回転中心軸と平行な位置関係になっている。
【００５５】
さらに、前記状態で配された枠体４３の上方への位置規制手段として、円柱状操作つまみ４２の回転中心軸と平行な枠体４３の前部上面には、基台部３１の底部３１Ａ前端側方に形成された二つの弾性爪５０の爪部が係止されている。
（図１参照）
なお、この係止による枠体４３の上方停止位置は、枠体４３の移動のない通常状態時に、前記押圧部４６がプッシュオンスイッチ３２を作動させることがない位置に設定されている。
【００５６】
さらに、上記状態の枠体４３に対して、図３の後面図および図８の側面断面図に示すように、駆動部材４４の後部下面には、基台部３１の規制用突部４９の中間位置後方に設けられた弾性部であるばね体５１が当接している。
【００５７】
このようにして基台部３１上に配された枠体４３は、基台部３１に対して対角位置関係にあるプッシュオンスイッチ３２と支持突部４７を繋ぐ線を支持軸として傾動可能で、かつ前記円柱状操作つまみ４２の回転中心軸と平行な支持突部４７どうしを繋ぐ線を支持軸として回動可能となり、前記枠体４３の傾動および回動動作に伴って所定のプッシュオンスイッチ３２を押圧部４６によって押圧できるものとなる。
【００５８】
そして、支持体４０の軸部４０Ｂが結合された円柱状操作つまみ４２は、図５の部分断面正面図に示すように、枠体４３の左側部４３Ｃを構成する蓋部材４５と右側部４３Ａを構成する駆動部材４４によって、両側端を回転可能に保持されて配されている。
【００５９】
その円柱状操作つまみ４２の左側の保持状態は、円柱状操作つまみ４２の左側端に設けられた外周面と同軸の窪み４２Ａに、円柱状操作つまみ４２が回転可能になるように蓋部材４５が嵌め込まれると共に、前記支持体４０の軸部４０Ｂは、この蓋部材４５に設けられた中央貫通孔４５Ａに挿通されている。
【００６０】
そして、同図に示すように、この窪み４２Ａの底部には、さらに外周面と同軸的につまみ部の中央位置まで設けられた逃げ穴４２Ｂが設けられており、この逃げ穴４２Ｂの細径に形成された底部に、前記支持体４０の軸部４０Ｂ先端が結合されている。
【００６１】
一方、円柱状操作つまみ４２の右側の保持状態は、円柱状操作つまみ４２の右側端に設けられた外周面と同軸の窪み４２Ｃの底部に形成された円柱穴４２Ｄに、駆動部材４４の右側部に内側方向に突出形成された円柱支持部５２が、円柱状操作つまみ４２が回転可能になるように嵌め込まれている。
【００６２】
なお、この円柱支持部５２と、支持体４０において支持部３１Ｂで支持されている部分は、同軸的に配されている。
【００６３】
このようにして円柱状操作つまみ４２は、つまみ部中間位置を支持体４０の軸部４０Ｂに結合された状態で、駆動部材４４と蓋部材４５とで構成される枠体４３の前後辺に対して平行な回転中心軸を持つように回転可能に保持されている。
【００６４】
なお、支持体４０の円柱状部４０Ａに形成された可動接点部４１と前記三つの弾性接点脚３７によって構成される回転型エンコーダ部の周囲は、基台部３１の底部３１Ａにカシメ固定されたカバー部材４５Ｂで覆われている。
【００６５】
ここで、この回転操作型部品部である回転型エンコーダ部について詳しく説明すると、可動接点部４１は、図４の分解斜視図に示すように、支持体４０の導電基材により形成された円柱状部４０Ａの周回する外周面で形成されるリング状接点部５３および、円柱状部４０Ａの外周面に所定の角度ピッチで絶縁部５４が設けられ、この絶縁部５４と前記リング状接点部５３に接続された導通部５５が交互に配された櫛歯部５６とから構成されている。
【００６６】
そして、基台部３１の底部３１Ａから延出された接点付端子３６の弾性接点脚３７の一つは、リング状接点部５３に常時弾接したコモン弾性接点となり、その他の二つが櫛歯部５６上に僅かに接触位置をずらせて弾接した信号用弾性接点として機能するように組み合わされている。
【００６７】
つまり、この回転型エンコーダ部としては、前記可動接点部４１の回転に伴って、前記コモン弾性接点および二つの信号用弾性接点が可動接点部４１の所定部分上を弾接摺動することにより、その回転方向に対応した二種類の電気信号（パルス信号）が生成できるインクリメンタルタイプのものが構成されており、その出力は、それぞれの接点付端子３６の第一端子部３８の第一圧接用弾性端子部３８Ａを介して導出できるものとなっている。
【００６８】
そして、５７は、円柱状操作つまみ４２と共廻りするように円柱状操作つまみ４２の右側の窪み４２Ｃ内に収容保持された節度ばねであり、この節度ばね５７の弾性ダボ部５７Ａは、駆動部材４４の円柱支持部５２周囲に設けられた放射状凹凸部５８に弾接している。
【００６９】
なお、放射状凹凸部５８と前記櫛歯部５６との角度ピッチは、互いに対応させてある。
【００７０】
この節度ばね５７と放射状凹凸部５８により構成された節度機構部は、円柱状操作つまみ４２の回転操作時に所定の節度感触を発生させる機能を備えると共に、円柱状操作つまみ４２が回転していない時には節度ばね５７の弾性ダボ部５７Ａが放射状凹凸部５８の凹部内にはまり込んで円柱状操作つまみ４２を所定位置で停止状態に維持させる機能を果たすものである。
【００７１】
また、円柱状操作つまみ４２の停止状態のときには、弾性接点脚３７の内の信号用弾性接点は、櫛歯部５６の絶縁部５４上で停止するように構成されている。
【００７２】
なお、前述した枠体４３を導電材料で形成するようにすると、その後部下面に当接しているばね体５１は、図７の基台部の上面図に示すように、弾性接点脚３７の内のリング状接点部５３に常時弾接したコモン弾性接点と一体に形成されているために、それに対応する第一端子部３８を使用機器のアース回路に接続することにより、静電気対策手段を講じたものにできる。
【００７３】
すなわち、前記構成とすると、円柱状操作つまみ４２に入流する静電気は、円柱状操作つまみ４２の表皮部分を介して最も近接的に配置された導電部分に流れていく性質を持っているため、円柱状操作つまみ４２に流入する静電気をこの枠体４３および基台部３１のばね体５１を介して確実に装着された機器の配線板のアース部分等に逃がすことができ、静電気に起因する誤作動を容易に低減させることができるようになる。
【００７４】
本実施の形態における押圧・回転操作型電子部品であるプッシュオンスイッチ付回転型エンコーダは、前記のごとく構成されるものであり、円柱状操作つまみ４２を採用すると共に、回転型エンコーダ部の可動接点部４１を支持体４０の小径の円柱状部４０Ａの外周に形成したものであるために、回転型エンコーダ部をコンパクトに構成できて円柱状操作つまみ４２の細形化を容易に図ることができ、製品外形が小型で薄形のものを容易に実現することができる。
【００７５】
次に、本実施の形態による押圧・回転操作型電子部品であるプッシュオンスイッチ付回転型エンコーダの装着方法について図面を用いて簡単に説明する。
【００７６】
図１１に示すように、まず前記プッシュオンスイッチ付回転型エンコーダを、使用機器の上ケース６０の開口部６０Ａから円柱状操作つまみ４２の上方部が所定量突出するように、上ケース６０に対して基台部３１の両側部に設けられた取付部３１Ｃの下方側からネジ６１によりネジ止めする。
【００７７】
そして、この上ケース６０を下ケース６２に組み合わせていき、下ケース６２内に配設された配線板６３のランド部６４に、第一および第二端子部３８および３９の第一および第二圧接用端子部３８Ａおよび３９Ａを圧接させていく。
【００７８】
このとき、第一および第二端子部３８および３９は、図１２の側面断面図に示すように、Ｕ字状に形成された根元部から基台部３１側に撓んでいき、所定のランド部６４に第一および第二圧接用端子部３８Ａおよび３９Ａが適正なばね圧力で押し付けられるために、両者の間は確実な電気的接続状態にできる。
【００７９】
また、この時に第一および第二圧接用端子部３８Ａおよび３９Ａならびにそのアーム部は基台部３１側に移動することとなるが、それに対応する基台部３１の下面位置には逃げ溝３１Ｄが設けられているため、基台部３１の下面と当接しないようになっている。
【００８０】
このようにして前記プッシュオンスイッチ付回転型エンコーダを使用機器に装着することにより、上ケース６０の開口部６０Ａとそこから突出する円柱状操作つまみ４２とを正確な位置関係で容易に配することができると共に、装着時に外装部分となる円柱状操作つまみ４２にはんだ熱を加わらなくできるので、見栄えがよい電子機器を容易に得ることができる。
【００８１】
なお、前記の装着方法以外にも、ネジ６１を基台部３１の取付部３１Ｃの上方から通して配線板６３にネジ止め装着してもよいし、その他の方法によって配線板６３に装着するようにしてもよい。
【００８２】
次に、本実施の形態による押圧・回転操作型電子部品としてのプッシュオンスイッチ付回転型エンコーダの動作について説明する。
【００８３】
まず、図１および図５に示す通常状態であるプッシュオンスイッチ付回転型エンコーダにおいて、円柱状操作つまみ４２のつまみ部に接線方向の力を加えると、枠体４３の右側部４３Ａを構成する駆動部材４４と左側部４３Ｃを構成する蓋部材４５とによって回転可能に保持された円柱状操作つまみ４２が回転し、これに伴い軸部４０Ｂがつまみ部中央に結合された支持体４０、および右側の窪み４２Ｃ内に保持された節度ばね５７が共廻りし、節度ばね５７の弾性ダボ部５７Ａが駆動部材４４の放射状凹凸部５８上を弾接摺動して所定の節度感が発せられる。
【００８４】
また、前記の支持体４０の回転に伴って、三つの弾性接点脚３７は、支持体４０の円柱状部４０Ａに設けられた可動接点部４１上の所定位置を弾接摺動する。
【００８５】
つまり、この操作により回転型エンコーダ部が作動し、弾性接点脚３７のコモン弾性接点と二つの信号用弾性接点との間で回転方向に対応した二種類の電気信号（パルス信号）が生成されて、接点付端子３６の第一端子部３８から前記電気信号が導出される。
【００８６】
なお、前記回転操作時において、円柱状操作つまみ４２には、下方に押し下げる力も少し加わるが、その力よりもそれぞれのプッシュオンスイッチ３２の作動時における動作力を大きく設定しておくことにより、プッシュオンスイッチ３２の誤作動を防止することができる。
【００８７】
一方、円柱状操作つまみ４２のつまみ部の中央部に下方（図５に示すＶ１方向）への押圧操作力を加えると、図１３の部分断面正面図に示すように、円柱状操作つまみ４２を保持している駆動部材４４と蓋部材４５とで構成される枠体４３が、基台部３１に対して駆動部材４４の支持突部４７どうしを繋ぐ線を回動軸として前方に回動し、その前部下面の押圧部４６が基台部３１の各々のプッシュオンスイッチ３２を絶縁フィルム３５上から同時に押圧していく。
【００８８】
この枠体４３の回動に伴って、円柱状操作つまみ４２に結合された支持体４０の弾性を有する軸部４０Ｂも移動することとなるが、この軸部４０Ｂは基台部３１の支持部３１Ｂで支持された部分を中心として同方向に撓み、上記枠体４３の回動はスムーズに行われる。
【００８９】
また、支持突部４７どうしを繋ぐ回動軸線は、円柱状操作つまみ４２の回転中心軸と平行関係で、かつその後方位置にあるため、前記押圧操作力は円柱状操作つまみ４２の全体に均等に働き、それを保持する枠体４３も安定した状態で基台部３１に対して前方に回動することとなる。
【００９０】
そして、プッシュオンスイッチ３２への押圧力が、それぞれのドーム状可動接点３４の動作力よりも大きくなると、前記各ドーム状可動接点３４は節度感を伴いながら反転動作して、それぞれの中央および外側固定接点３３Ａおよび３３Ｂ間を短絡させ、各々のプッシュオンスイッチ３２を共にオン状態にして、それらに対応する第二端子部３９間が各々導通する。
【００９１】
なお、この押圧操作時には、円柱状操作つまみ４２は、節度ばね５７の弾性ダボ部５７Ａが駆動部材４４の放射状凹凸部５８の凹部内にはまり込んだ状態を維持しつつ回動するために、円柱状操作つまみ４２は回転することはない。
【００９２】
また、円柱状操作つまみ４２に結合された支持体４０は、軸部４０Ｂのみが前記円柱状操作つまみ４２の移動に伴って撓むのみであるため、弾性接点脚３７と支持体４０の円柱状部４０Ａに形成された可動接点部４１との接触位置は変わらず回転型エンコーダ部からの誤信号は発生しない。
【００９３】
そして、前記押圧操作力を除くと、それぞれのドーム状可動接点３４が元の形状に復元し、各々のプッシュオンスイッチ３２を共にオフ状態に戻すと共に、枠体４３およびそれに保持された円柱状操作つまみ４２を元の位置まで押し戻し、支持体４０の軸部４０Ｂが基台部３１の底部３１Ａと平行な図５に示す通常状態に戻る。
【００９４】
なお、枠体４３の後端には、ばね体５１の上方への付勢力が加わっているため、前記枠体４３の復帰時に、枠体４３の後端は基台部３１の底部３１Ａ上面とは接触せず、両者の接触に起因する音の発生を防止できる。
【００９５】
また、枠体４３は、基台部３１の弾性爪５０の爪部に前端上面が当接して停止するようになるため、常に所定の上方位置に復帰する。
【００９６】
なお、それぞれのプッシュオンスイッチ３２を、ほぼ同一反転ストロークで、同一反転動作力のドーム状可動接点３４を備えたものにすると、前記動作時にほぼ同時にプッシュオンスイッチ３２がオン状態になるものにできる。
【００９７】
次に、円柱状操作つまみ４２の右端部を下方（図５に示すＶ２方向）に押し下げると、図１４の部分断面正面図に示すように、その押圧力は二つのプッシュオンスイッチ３２のうち、押圧位置である円柱状操作つまみ４２の右端部に近い方の右側のプッシュオンスイッチ３２に大きく作用し、このプッシュオンスイッチ３２のドーム状可動接点３４が右側の押圧部４６で押し下げられていくと共に、枠体４３は右側の支持突部４７と左側のプッシュオンスイッチ３２を結ぶ直線を支持軸として傾動していく。
【００９８】
そして、右側の押圧部４６による押圧力が所定の大きさを越えると、右側のプッシュオンスイッチ３２のみのドーム状可動接点３４が反転動作してオン状態になり、それに対応する第二端子部３９間が導通する。
【００９９】
このときに、枠体４３は、左側の支持突部４７が基台部３１上から離れると共に、基台部３１の左側の弾性爪５０が駆動部材４４の前部上面に当接した状態で停止する。
【０１００】
つまり、この場合の傾動角度も所定角度になり、プッシュオンスイッチ３２に過度の力を加えることもなく、良好な操作性を有するものにできる。
【０１０１】
また、前記傾動操作時にも、支持体４０の円柱状部４０Ａの位置は変わらず、弾性接点脚３７と円柱状部４０Ａに形成された可動接点部４１との位置関係は変わらないため、回転型エンコーダ部からの誤信号が発せられないことは、円柱状操作つまみ４２のつまみ部の中央部を押圧した場合と同じである。
【０１０２】
そして、前記操作力を除くと、右側のドーム状可動接点３４は復元して右側のプッシュオンスイッチ３２がオフ状態に戻ると共に、その復元力によって枠体４３および円柱状操作つまみ４２等は元の位置に押し戻されて図５に示す通常状態に戻る。
【０１０３】
なお、前記の枠体４３の傾動動作時にも、円柱状操作つまみ４２と、それを支持している支持体４０の軸部４０Ｂとの間には、円柱状操作つまみ４２の傾きに伴うひねりが加わることとなるが、前述のごとく軸部４０Ｂは弾性を有しているために、枠体４３は滑らかに移動する。
【０１０４】
一方、円柱状操作つまみ４２の左端部を押し下げた場合については、円柱状操作つまみ４２が左側に傾動して、左側のプッシュオンスイッチ３２のみが作動する。
【０１０５】
このように本実施の形態による押圧・回転操作型電子部品であるプッシュオンスイッチ付回転型エンコーダは、前記円柱状操作つまみ４２のつまみ部を回転操作することにより回転型エンコーダ部から所定信号が得られると共に、その両端部近傍のいずれかを下方に押圧操作することにより、前記枠体４３が前記基台部３１に対して安定的に傾動して前方下面の押圧部４６で各プッシュオンスイッチ３２を個別に操作でき、かつ前記つまみ部の外周上面の中央部分を下方に押圧操作することにより、前記枠体４３が前記基台部３１に対して回動して前方下面の押圧部４６で二つのプッシュオンスイッチ３２を同時に操作できる良好な操作性を備えたものである。
【０１０６】
なお、前記には安定した動作が保証し易い支持体４０の軸部４０Ｂに弾性を備えたものを説明したが、軸部先端と円柱状操作つまみの逃げ穴との間に所定の隙間を設定して結合すると、軸部に弾性を備えていなくとも前記と同様に動作するものに構成できる。
【０１０７】
また、その際に図１５に示すように、支持体７０の軸部７０Ａの先端を、中心位置の外形が多角形状部７０Ｂで、その先端側および根元側に向かうにつれて順次その多角形状部７０Ｂと相似形で多角形状部７０Ｂよりも小さくなっていくものとし、これを多角形状部７０Ｂと同形状に形成された円柱状操作つまみ７１の逃げ穴７１Ａの底部に結合させると安定的に動作するものとなる。
【０１０８】
つまり、この構成のものの円柱状操作つまみ７１を回転操作した場合には、逃げ穴７１Ａの底部側壁と軸部７０Ａの多角形状部７０Ｂとの嵌合部分により、円柱状操作つまみ７１と支持体７０とは、ガタツキなく共廻りするものとなる。
【０１０９】
また、円柱状操作つまみ７１を押圧操作した場合には、支持体７０の軸部７０Ａが撓むことなく、逃げ穴７１Ａの底部と軸部７０Ａの多角形状部７０Ｂとの嵌合が外れて円柱状操作つまみ７１のみが傾動するようにできるため、押圧操作型部品部に対して直接操作力が伝達されて、押圧操作型部品部の良好な操作性および明確な節度感触の感触等が得られるものとなる。
【０１１０】
なお、前記のいずれの場合にも、回転操作型部品部としては、回転型エンコーダ部以外のもの、例えば回転式スイッチ等の構成であってもよい。
【０１１１】
さらに、支持体は、基台部の固定接点に弾接する可動接点部を一端側に備えると共に、他端側が円柱状操作つまみに結合され、その中間部分を基台部の支持部で回転可能に支持されたものであればよく、例えば図１６に示すように支持体６５の可動接点部として円板状接点板６６が設けられ、その接点面に対して固定接点である弾性接点脚６７を弾接させるものであってもよい。
【０１１２】
次に、本実施の形態によるプッシュオンスイッチ付回転型エンコーダが電子機器である携帯電話に装着された状態等について、図１７の携帯電話の外観斜視図を用いて簡単に説明する。
【０１１３】
同図に示すように、携帯電話８０の操作面８０Ａとなる上面には、本実施の形態によるプッシュオンスイッチ付回転型エンコーダが、円柱状操作つまみ４２の上端部分を所定量突出させるようにして装着されている。
【０１１４】
そして、この携帯電話８０の使用方法は、操作面８０Ａの表示部８１に複数の機能項目メニューが所定の配列関係で表示された状態において、まず操作者は、円柱状操作つまみ４２の突出部分に対して接線方向の力を加え、円柱状操作つまみ４２を所定方向に回転させて本実施の形態によるプッシュオンスイッチ付回転型エンコーダの回転型エンコーダ部を作動させ、その導出信号に基づき、表示画面中の機能項目メニューを希望する項目のある行まで前後方向に移動させる。
【０１１５】
続いて、操作者は、円柱状操作つまみ４２の突出部分の左右端部のいずれかを押圧操作して、図１７には図示していない同方向に対応する本実施の形態によるプッシュオンスイッチ付回転型エンコーダのプッシュオンスイッチ３２を作動させて表示画面中の機能項目メニューを目的とする項目のある列まで左右方向に移動させて目的の項目を選択する。
【０１１６】
最後に、操作者は、円柱状操作つまみ４２の突出部分の中央部を押圧操作して図１７には図示していない本実施の形態によるプッシュオンスイッチ付回転型エンコーダの二つのプッシュオンスイッチ３２を作動させ、選択した機能項目メニューの項目を決定または実行する。
【０１１７】
なお、通常所定項目に対する決定または実行時の操作力は、項目選択時よりも大きい操作力のものが好まれ、この携帯電話においては、希望項目の決定または実行時には、それぞれの自己復帰型のプッシュオンスイッチ３２の押圧操作力の合計値という選択時よりも大きい操作力での操作にできるため、良好な操作性を有すると共に誤操作も少なくできるものである。
【０１１８】
このように、本実施の形態によるプッシュオンスイッチ付回転型エンコーダである押圧・回転操作型電子部品が搭載された携帯電話８０等の電子機器は、一つの円柱状操作つまみ４２に対する所定操作で、簡単かつ迅速に希望する項目選択および決定等ができる良好な操作性を備えたものとなる。
【０１１９】
また、本実施の形態によるものは前述のごとくコンパクトに構成されているものであり、使用機器の入力デバイスとしての設置面積範囲を小さくでき、電子機器の小型化および薄形化等にも容易に対応することができる。
【０１２０】
【発明の効果】
以上のように本発明によれば、一つの円柱状操作つまみに対して回転操作または複数箇所に対する押圧操作が可能な操作性に優れた小型で薄形の押圧・回転操作型電子部品を得ることができるという有利な効果が得られる。
【０１２１】
また、この押圧・回転操作型電子部品は、コンパクトに構成されているため、電子機器における装着面積を低減でき、使い易くて小形・薄型の電子機器を容易に実現できるという効果も得ることができる。
【図面の簡単な説明】
【図１】本発明の一実施の形態による押圧・回転操作型電子部品としてのプッシュオンスイッチ付回転型エンコーダの外観斜視図
【図２】同正面図
【図３】同後面図
【図４】同分解斜視図
【図５】同部分断面正面図
【図６】同要部である押圧操作型部品部としてのプッシュオンスイッチの構成を説明する分解斜視図
【図７】同要部である基台部の上面図
【図８】同側面断面図
【図９】同要部である駆動部材の裏面側の斜視図
【図１０】同後方側からの外観斜視図
【図１１】同使用機器の配線板への装着方法を説明する図
【図１２】同使用機器の配線板に装着された状態を示す側面断面図
【図１３】同円柱状操作つまみのつまみ部の中央部を押圧操作した状態を示す部分断面正面図
【図１４】同円柱状操作つまみの右端部を押圧操作した状態を示す部分断面正面図
【図１５】同要部である支持体と円柱状操作つまみとの他の形態の結合部分を備えたものを示す図
【図１６】同要部である他の形態の支持体を備えたものを示す図
【図１７】同押圧・回転操作型電子部品としてのプッシュオンスイッチ付回転型エンコーダが装着された携帯電話の外観斜視図
【図１８】従来の押圧・回転操作型電子部品であるプッシュオンスイッチ付回転型エンコーダの外観斜視図
【図１９】同側面断面図
【図２０】同従来の押圧・回転操作型電子部品であるプッシュオンスイッチ付回転型エンコーダが搭載された携帯電話の外観斜視図
【図２１】同携帯電話に搭載された二回路プッシュオンスイッチの部分断面正面図
【符号の説明】
３１  基台部
３１Ａ  底部
３１Ｂ  支持部
３１Ｃ  取付部
３１Ｄ  逃げ溝
３２  プッシュオンスイッチ
３３Ａ  中央固定接点
３３Ｂ  外側固定接点
３４  ドーム状可動接点
３４Ａ  中央頂点部
３５  絶縁フィルム
３６  接点付端子
３７，６７  弾性接点脚
３８  第一端子部
３８Ａ  第一圧接用弾性端子部
３９  第二端子部
３９Ａ  第二圧接用弾性端子部
４０，６５，７０  支持体
４０Ａ  円柱状部
４０Ｂ，７０Ａ  軸部
４１  可動接点部
４２，７１  円柱状操作つまみ
４２Ａ，４２Ｃ  窪み
４２Ｂ，７１Ａ  逃げ穴
４２Ｄ  円柱穴
４３  枠体
４３Ａ  右側部
４３Ｂ  底面部
４３Ｃ  左側部
４４  駆動部材
４５  蓋部材
４５Ａ  中央貫通孔
４５Ｂ  カバー部材
４６  押圧部
４７  支持突部
４８  規制孔
４９  規制用突部
５０  弾性爪
５１  ばね体
５２  円柱支持部
５３  リング状接点部
５４  絶縁部
５５  導通部
５６  櫛歯部
５７  節度ばね
５７Ａ  弾性ダボ部
５８  放射状凹凸部
６０  上ケース
６０Ａ  開口部
６１  ネジ
６２  下ケース
６３  配線板
６４  ランド部
６６  円板状接点板
７０Ｂ  多角形状部
８０  携帯電話
８０Ａ  操作面
８１  表示部
【図１】
0003931528.tif 000002
【図２】
0003931528.tif 000003
【図３】
0003931528.tif 000004
【図４】
0003931528.tif 000005
【図５】
0003931528.tif 000006
【図６】
0003931528.tif 000007
【図７】
0003931528.tif 000008
【図８】
0003931528.tif 000009
【図９】
0003931528.tif 000010
【図１０】
0003931528.tif 000011
【図１１】
0003931528.tif 000012
【図１２】
0003931528.tif 000013
【図１３】
0003931528.tif 000014
【図１４】
0003931528.tif 000015
【図１５】
0003931528.tif 000016
【図１６】
0003931528.tif 000017
【図１７】
0003931528.tif 000018
【図１８】
0003931528.tif 000019
【図１９】
0003931528.tif 000020
【図２０】
0003931528.tif 000021
【図２１】
0003931528.tif 000022